(57)【要約】【課題】無線通信装置にて送信する符号化データを生成するデータ生成装置において、通信の信頼性を損なわず、無線通信装置での通信効率を向上できるようにする。【解決手段】無線通信システム１において、無線部パラメータ測定部２３ａ、３３ａは、無線通信部１２、３１ａがデータ送信する際のフレーム長を認識するための認識データを取得する。また、符号化／ブロック長パラメータ決定部２４ａ、３４ａは、無線通信部１２、３１ａを利用して送信しようとする送信データのデータ量を取得する。そして、符号化／ブロック長パラメータ決定部２４ａ、３４ａは、フレーム長および送信データのデータ量に応じて符号化を行う際のパラメータを表す符号化パラメータを設定し、消失訂正符号化部２５、３５ａ、サブブロック分割部２６、３６ａは、符号化パラメータに従って、送信データの符号化を行う。【選択図】図１
2016025560.tif 000002
【特許請求の範囲】
【請求項１】
無線通信装置（１２、３１ａ〜３１ｅ）にて送信する符号化データを生成するデータ生成装置（２０ａ〜２０ｅ、３０ａ〜３０ｅ）であって、
無線通信装置がデータ送信する際のフレーム長を認識するための認識データを取得するフレーム長取得手段（２３ａ、３３ａ〜３３ｅ）と、
前記無線通信装置を利用して送信しようとする送信データのデータ量を取得するデータ量取得手段（２４ａ〜２４ｅ、３４ａ〜３４ｅ）と、
前記フレーム長および前記送信データのデータ量に応じて符号化を行う際のパラメータを表す符号化パラメータを設定する符号化パラメータ設定手段（２４ａ〜２４ｅ、３４ａ〜３４ｅ）と、
前記符号化パラメータに従って、前記送信データの符号化を行う符号化手段（２５、３５ａ〜３５ｅ、２６、３６ａ〜３６ｅ）と、
を備えたことを特徴とするデータ生成装置。
【請求項２】
請求項１に記載のデータ生成装置において、
前記符号化パラメータ設定手段は、前記符号化パラメータとして、前記送信データを分割する際の１パケット当たりのデータ量を設定すること
を特徴とするデータ生成装置。
【請求項３】
請求項２に記載のデータ生成装置において、
前記符号化パラメータ設定手段は、前記符号化パラメータとして、前記送信データの誤りを修正するための誤り訂正パリティのデータ量も設定し、
前記符号化手段は、前記送信データに前記誤り訂正パリティを加えたデータを前記１パケット当たりのデータ量毎に分割して前記符号化データを生成すること
を特徴とするデータ生成装置。
【請求項４】
請求項１〜請求項３の何れか１項に記載のデータ生成装置において、
前記符号化パラメータに従って分割して生成された符号化データ毎に、間隔を空けて無線通信装置に送信する符号化データ送信手段（２７、３７）、を備えたこと
を特徴とするデータ生成装置。
【請求項５】
請求項１〜請求項４の何れか１項に記載のデータ生成装置において、
前記符号化パラメータ設定手段は、前記認識データのデータ量も加味して前記符号化パラメータを設定し、
前記符号化手段は、前記符号化パラメータに従って、前記認識データおよび前記送信データを含むデータの符号化を行うこと
を特徴とするデータ生成装置。
【請求項６】
請求項１〜請求項５の何れか１項に記載のデータ生成装置において、
前記フレーム長取得手段は、前記認識データとして、無線通信装置が利用できる帯域幅および変調符号化方式を取得し、
前記符号化パラメータ設定手段は、帯域幅および変調符号化方式から前記フレーム長を推定すること
を特徴とするデータ生成装置。
【請求項７】
請求項１〜請求項５の何れか１項に記載のデータ生成装置において、
前記フレーム長取得手段は、前記認識データとして、無線通信装置がデータを送信または受信する際の電波強度を表す１または複数の強度データを取得し、
前記符号化パラメータ設定手段は、前記強度データから前記フレーム長を推定すること
を特徴とするデータ生成装置。
【請求項８】
請求項１〜請求項７の何れか１項に記載のデータ生成装置において、
当該データ生成装置は、前記無線通信装置とは分離して構成されており、
前記フレーム長取得手段は、前記無線通信装置から認識データを取得すること
を特徴とするデータ生成装置。
【請求項９】
無線通信装置によって受信されたデータを処理するデータ処理装置（３０ｅ）であって、
前記受信されたデータのフレーム長に基づいて符号化パラメータを推定するパラメータ推定手段（６１、６３、６４）と、
前記推定された符号化パラメータを用いてデータを復号化する復号化手段（６５、６６）と、
を備え、
前記無線通信装置は、請求項１〜請求項８の何れか１項に記載のデータ生成装置にて生成された符号化データに基づくフレームを受信すること
を特徴とするデータ処理装置。
【発明の詳細な説明】
【技術分野】
【０００１】
本発明は、無線通信装置にて送信する符号化データを生成するデータ生成装置、および符号化データを復号化するデータ処理装置に関する。
【背景技術】
【０００２】
上記のデータ生成装置として、消失訂正符号化等の誤り訂正符号化を行うものが知られている（例えば、特許文献１参照）。
【先行技術文献】
【特許文献】
【０００３】
【特許文献１】特開２００８−１２４６１３号公報
【発明の概要】
【発明が解決しようとする課題】
【０００４】
しかしながら、上記データ生成装置では、パケットを生成する際の手法には詳しく言及されておらず、常に同じデータ量のパケットを生成し、さらに各パケットを含むフレームを生成するものと推定される。このような構成では、フレームにおいてデータの空きが生じると、この空きをダミーデータで埋めたフレームを生成することになるため、無線通信装置では、ダミーデータを埋める分だけ通信効率が低下するという問題点があった。また、データ量を調整する機構が無いため、本来必要であるデータ量以上の冗長なデータの生成および送信により通信効率が低下するという問題点があった。
【０００５】
そこで、このような問題点を鑑み、無線通信装置にて送信する符号化データを生成するデータ生成装置において、通信の信頼性を損なわず、なおかつ無線通信装置での通信効率を向上できるようにすることを本発明の目的とする。
【課題を解決するための手段】
【０００６】
本発明のデータ生成装置において、フレーム長取得手段は、無線通信装置がデータ送信する際のフレーム長を認識するための認識データを取得する。また、データ量取得手段は、無線通信装置を利用して送信しようとする送信データのデータ量を取得する。そして、符号化パラメータ設定手段は、フレーム長および送信データのデータ量に応じて符号化を行う際のパラメータを表す符号化パラメータを設定し、符号化手段は、符号化パラメータに従って、送信データの符号化を行う。
【０００７】
このようなデータ生成装置によれば、フレーム長および送信データのデータ量に応じて符号化を行う際のパラメータの設定を変更するので、無線通信装置がデータ送信する際のフレーム長および送信データのデータ量に適した符号化データとすることができる。よって、無線通信装置での符号化データを送信する際の通信効率を向上させることができる。
【０００８】
なお、各請求項の記載は、可能な限りにおいて任意に組み合わせることができる。この際、一部構成を除外してもよい。
【図面の簡単な説明】
【０００９】
【図１】第１実施形態の無線通信システム１の概略構成を示すブロック図である。
【図２】フレームの一例を示す説明図である。
【図３】消失訂正符号化部による処理を示す概念図である。
【図４】サブブロック分割部による処理を示す概念図である。
【図５】間欠送信部による処理を示す概念図である。
【図６】無線通信部による処理を示す概念図である。
【図７】複数のパケットが１フレームに含まれる例を示す説明図である。
【図８】フレームの空き部分にダミーデータが挿入されることを示す説明図である。
【図９】第２実施形態の無線通信システム２の概略構成を示すブロック図である。
【図１０】第３実施形態の無線通信システム３の概略構成を示すブロック図である。
【図１１】第３実施形態の無線部パラメータ測定部３３ｃが実行するパラメータ算出処理を示すフローチャートである。
【図１２】第４実施形態の無線通信システム４の概略構成を示すブロック図である。
【図１３】第４実施形態の無線部パラメータ測定部３３ｄｃが実行するパラメータ算出処理を示すフローチャートである。
【図１４】第５実施形態の無線通信システム５の概略構成を示すブロック図である。
【発明を実施するための形態】
【００１０】
以下に本発明にかかる実施の形態を図面と共に説明する。
［第１実施形態］
［本実施形態の構成］
本発明が適用された無線通信システム１は、例えばＬＴＥ（Long Term Evolution）での通信を行うよう設定されている。特に、無線通信を行うクラウドサーバー２０ａおよび端末装置３０ａが、フレーム長および送信データのデータ量に応じて符号化を行う際のパラメータの設定を行い、データ送信する際のフレーム長（１度の送信プロセスで送るデータ量を表すフレーム（Tranport Block：図２参照）の長さ（N byte））および送信データのデータ量に適した符号化データとする機能を備えている。
【００１１】
詳細には、無線通信システム１は、図１に示すように、無線基地局１０、クラウドサーバー２０ａ、端末装置３０ａを備えている。無線基地局１０とクラウドサーバー２０ａとは、有線ネットワーク１５にて通信可能に接続されており、また、無線基地局１０と端末装置３０ａとは、無線通信を行うことによって通信可能とされている。
【００１２】
なお、本実施形態の説明では、無線基地局１０、クラウドサーバー２０ａ、端末装置３０ａが制御回路等のハードウェアを用いて後述する各処理を実施する例について説明するが、後述する各処理は、コンピュータによる処理として実現されてもよい。
【００１３】
無線基地局１０は、有線通信部１１と無線通信部１２とを備えている。有線通信部１１は、無線通信部１２を介して受信したフレームをクラウドサーバー２０ａに中継するとともに、クラウドサーバー２０ａから受信したフレームを無線通信部１２に中継する。
【００１４】
無線通信部１２は、１または複数の端末装置３０ａと通信するための通信モジュールを備えており、有線通信部１１から受信したフレームを端末装置３０ａに送るとともに、端末装置３０ａから受信したフレームを有線通信部１１に送る。また、この際、無線通信部１２は、電波状況（電波強度）や使用している電波の帯域幅に基づいて、予め設定されたアルゴリズムでフレーム長を設定し、この設定に従ってデータの送信を行う。
【００１５】
クラウドサーバー２０ａは、端末装置３０ａに対して送受信される送信情報および受信情報の管理を行う。クラウドサーバー２０ａは、サブブロック結合／復号部２２、無線部パラメータ測定部２３ａ、符号化／ブロック長パラメータ決定部２４ａ、消失訂正符号化部２５、サブブロック分割部２６、および間欠送信部２７を備えている。
【００１６】
サブブロック結合／復号部２２は、無線基地局１０が端末装置３０ａから受信したデータを取得し、復号化を実施する。また、無線部パラメータ測定部２３ａは、無線基地局１０の無線通信部１２が無線通信を行う際のフレーム長を認識するための無線部パラメータ（認識データ）を無線通信部１２から取得し、無線部パラメータを予め準備された関数等に入力することによってフレーム長を認識する。ここで、無線部パラメータは、フレーム長を直接的に表すデータであってもよいし、フレーム長を推定するためのデータであってもよい。
【００１７】
より具体的には、無線部パラメータは、使用する無線帯域（帯域幅）、変調符号化方式、送信フレームサイズを表すデータ（例えば、ＭＣＳ：Modulation and Coding Scheme、ＴＢＳ：Transport Block Size、ＲＢ：Resource Block等）や、電波強度を表すデータ（例えば、ＣＱＩ：Channel Quality Indicator、ＳＮＲ：Signal to Noise Ratio、ＳＩＮＲ：Signal to Interference and Noise power Ratio、ＲＳＲＰ：Reference Signal Received Power、ＲＳＳＩ：Received Signal Strength Indicator、ＲＳＲＱ：Reference Signal Received. Quality等）であればよい。
【００１８】
符号化／ブロック長パラメータ決定部２４ａは、予め準備されたロジック（例えば関数等）に従って、符号化を行う際に用いる符号化パラメータを設定する。この際、送信するデータについてのデータ量を含む送信情報を取得し、送信するデータのデータ量や推定したフレーム長に基づいて符号化パラメータを設定する。符号化パラメータとしては、例えば、目標となる受信誤り率を満足し、かつ、伝送効率の劣化が最小となる符号長、符号化率、パケット長等を示す。
【００１９】
消失訂正符号化部２５は、符号化／ブロック長パラメータ決定部２４ａにて設定された符号化パラメータを用いて符号化を行う。この際には、図３に示すように、符号化パラメータに基づいて誤り訂正パリティ（消失訂正符号）を生成し、クラウドサーバー２０ａが送信しようとするデータを表す送信情報に、誤り訂正パリティを付加したデータを生成する。
【００２０】
サブブロック分割部２６は、消失訂正符号化部２５にて生成されたデータを、符号化パラメータにて決まるデータ量で分割する。この処理では、図４に示すように、例えばLbyte毎にデータを分割することで、ＥＢ（encorded sub block）を生成する。
【００２１】
間欠送信部２７は、パケットを生成し、パケットを無線通信部１２に間欠送信する。詳細には、図５に示すように、ＩＰ（Internet Protocol）、ＵＤＰ( User Datagram Protocol )、ＥＢを含むデータを１つのパケットとする。そして、生成した各パケットを、パケット単位で間隔（Tit）を空けて無線通信部１２に送信する。ここで、パケット単位で間隔を空けるのは、異なるパケットが１つのフレームにまとめられないようにするためである。
【００２２】
無線通信部１２は、図６に示すように、間欠送信部３７から送られた各パケットに対して、ダミーデータ等のデータを付加し、パケットを含むフレーム（Tranport Block）を生成する。ここで、無線通信部１２は、図７に示すように、複数のパケットを用いて１つのフレームを生成できる場合には（図７（ａ））、これらのパケットとＣＲＣ（Cyclic Redundancy Check）等のデータとを１つのフレームに含めてデータ送信する（図７（ｂ））。
【００２３】
この場合、データの送受信の際にエラーが発生すると、複数のパケットが同時に喪失し、消失訂正符号の訂正可能なデータ量を上回り、復元不可となる確率が高まることから、通信の信頼性を損なう。また、パケットが無線通信部１２にて設定するフレームサイズに満たない場合には、図８に示すように、フレームの空いた部分にダミーデータ（padding）を埋め込むことになる。このようにダミーデータが多くなると通信効率が悪くなる。
【００２４】
しかし、本実施形態の構成では、１つのパケットだけが１つのフレームに含まれ、かつ、この際のダミーデータが少なくなるようパケットのサイズが設定されることになるので、通信の信頼性を損なわず、通信効率を向上できることになる。
【００２５】
次に、端末装置３０ａは、例えば、ユーザに所持されて移動するスマートフォン等の端末装置として構成されている。端末装置３０ａは、図１に示すように、無線通信部３１ａと、サブブロック結合／復号部３２と、無線部パラメータ測定部３３ａと、符号化／ブロック長パラメータ決定部３４ａと、消失訂正符号化部３５ａと、サブブロック分割部３６ａと、間欠送信部３７と、を備えている。端末装置３０ａは、無線通信部３１ａを備えていることがクラウドサーバー２０ａと大きく異なるが、他の構成は概ねクラウドサーバー２０ａと同様に構成されている。
【００２６】
無線通信部３１ａは、無線基地局１０に対するデータの送受信を行う。また、無線基地局１０から受信したデータをサブブロック結合／復号部３２に送り、間欠送信部３７から送られたデータに基づくフレームを生成して無線基地局１０に送信する。その他、無線基地局１０の無線通信部１２と同様の機能を有する。
【００２７】
サブブロック結合／復号部３２は、無線通信部３１ａが受信したデータを取得し、復号化を実施する。無線部パラメータ測定部３３ａは、無線通信部３１ａが無線通信を行う際のフレーム長を認識するための無線部パラメータを無線通信部３１ａから取得する。
【００２８】
符号化／ブロック長パラメータ決定部３４ａ、消失訂正符号化部３５ａ、サブブロック分割部３６ａ、および間欠送信部３７については、符号化／ブロック長パラメータ決定部２４ａ、消失訂正符号化部２５、サブブロック分割部２６、および間欠送信部２７と同様に構成されている。
【００２９】
［第１実施形態による効果］
本発明の無線通信システム１において、無線部パラメータ測定部２３ａ、３３ａは、無線通信部１２、３１ａがデータ送信する際のフレーム長を認識するための認識データを取得する。また、符号化／ブロック長パラメータ決定部２４ａ、３４ａは、無線通信部１２、３１ａを利用して送信しようとする送信データのデータ量を取得する。そして、符号化／ブロック長パラメータ決定部２４ａ、３４ａは、フレーム長および送信データのデータ量に応じて符号化を行う際のパラメータを表す符号化パラメータを設定し、消失訂正符号化部２５、３５ａ、サブブロック分割部２６、３６ａは、符号化パラメータに従って、送信データの符号化を行う。
【００３０】
このような無線通信システム１によれば、フレーム長および送信データのデータ量に応じて符号化を行う際のパラメータの設定を変更するので、無線通信部１２、３１ａがデータ送信する際のフレーム長および送信データのデータ量に適した符号化データとすることができる。よって、無線通信部１２、３１ａでの符号化データを送信する際の通信効率を向上させることができる。
【００３１】
また、上記無線通信システム１において、符号化／ブロック長パラメータ決定部２４ａ、３４ａは、符号化パラメータとして、送信データを分割する際の１パケット当たりのデータ量を設定する。
【００３２】
このような無線通信システム１によれば、送信データを分割する際の１パケット当たりのデータ量を設定するので、１パケット当たりのデータ量を認識データに応じて最適化することができる。
【００３３】
また、上記無線通信システム１において、符号化／ブロック長パラメータ決定部２４ａ、３４ａは、符号化パラメータとして、送信データの誤りを修正するための誤り訂正パリティのデータ量も設定し、消失訂正符号化部２５、３５ａ、サブブロック分割部２６、３６ａは、送信データに誤り訂正パリティを加えたデータを１パケット当たりのデータ量毎に分割して符号化データを生成する。
【００３４】
このような無線通信システム１によれば、誤り訂正パリティのデータ量を設定し、このデータ量も考慮してデータを分割するので、通信の信頼性を損なうことなく通信効率を向上させることができる。
【００３５】
また、上記無線通信システム１において、間欠送信部２７、３７は符号化パラメータに従って分割して生成された符号化データ毎に、間隔を空けて無線通信部１２、３１ａに送信する。
【００３６】
このような無線通信システム１によれば、符号化データ毎に間隔を空けて送信するので、複数の符号化データが無線通信部１２、３１ａにおいて１つのフレームに統合されることを抑制することができる。よって、複数の符号化データが同時に消失する確率を低くすることができる。
【００３７】
また、上記無線通信システム１のクラウドサーバー２０ａにおいては、無線通信部１２とは分離して構成されており、無線部パラメータ測定部２３ａは、無線通信部１２から認識データを取得する。
【００３８】
このような無線通信システム１によれば、無線通信システム１が無線通信部１２と分離された構成であっても、送信データの符号化を良好に行うことができる。
［第２実施形態］
［第２実施形態の構成］
次に、別形態の無線通信システム２について説明する。本実施形態（第２実施形態）では、第１実施形態の無線通信システム１と異なる箇所のみを詳述し、第１実施形態の無線通信システム１と同様の箇所については、同一の符号を付して説明を省略する。
【００３９】
本実施形態の無線通信システム２では、クラウドサーバー２０ｂが無線基地局１０の無線通信部１２から無線部パラメータを取得できない場合を想定し、端末装置３０ｂが無線基地局１０の無線通信部１２にて設定される無線部パラメータをクラウドサーバー２０ｂにフィードバックする機能を備えている。詳細には、図９に示すように、無線通信システム２において、端末装置３０ｂの無線部パラメータ測定部３３ｂは、無線通信部３１ｂにて取得された無線基地局１０からのデータに含まれる送信パラメータおよび無線通信部３１ｂがデータの送信の際に利用する無線部パラメータを取得する。
【００４０】
無線基地局１０からのデータに含まれる送信パラメータについては、消失訂正符号化部３５ｂに送られる。また、無線通信部３１ｂがデータの送信の際に利用する無線部パラメータについては、前述の通り、符号化／ブロック長パラメータ決定部３４ｂに送られる。
【００４１】
ここで、送信パラメータは、送信側の装置がデータを符号化する際の設定を示すパラメータまたはこの際の設定を推定するためのパラメータを示す。例えば、送信パラメータは、前述のフレーム長を推定するためのデータ等であればよい。
【００４２】
符号化／ブロック長パラメータ決定部３４ｂは、端末装置３０ｂから送信する送信パラメータ（データ量）を加味して符号化パラメータを設定する。そして、消失訂正符号化部３５ｂおよびサブブロック分割部３６ｂは、送信パラメータを含むデータについて符号化やパケット化を行うことになる。
【００４３】
無線通信部３１ｂは、送信パラメータを含むデータを、無線基地局１０を介してクラウドサーバー２０ｂに送ることになる。クラウドサーバー２０ｂは、符号化／ブロック長パラメータ決定部２４ｂにおいて、端末装置３０ｂからフィードバックされた無線基地局１０の無線部パラメータを用いて符号化パラメータを設定することになる。
【００４４】
［第２実施形態の効果］
上記無線通信システム２において、符号化／ブロック長パラメータ決定部２４ｂ、３４ｂは、認識データのデータ量も加味して符号化パラメータを設定し、消失訂正符号化部２５、３５ｂ、サブブロック分割部２６、３６ｂは、符号化パラメータに従って、認識データおよび送信データを含むデータの符号化を行う。
【００４５】
このような無線通信システム２によれば、認識データを無線通信部１２、３１ｂの通信相手に送信することができるので、通信相手が無線通信部１２、３１ｂにデータを返す際に符号化パラメータを設定する場合等に利用することができる。
【００４６】
［第３実施形態］
次に、第３実施形態の無線通信システム３について説明する。
第３実施形態の無線通信システム３において、端末装置３０ｃは、無線通信の際の設定である、変調符号化方式および帯域幅の情報を利用してフレーム長を推定するよう構成されている。詳細には、図１０に示すように、無線部パラメータ測定部３３ｃは、無線通信パラメータデータベース（ＤＢ）４１と、無線通信パラメータ算出部４２とを備えている。
【００４７】
無線通信パラメータデータベース４１には、変調符号化方式と帯域幅とが特定されるとフレーム長を一義に特定できるようなマップが格納されている。
無線通信パラメータ算出部４２は、図１１に示すパラメータ算出処理を実行することでフレーム長を算出する。すなわち、図１１に示すように、無線通信部３１ｃから変調符号化方式および帯域幅を取得し（Ｓ１１０）、無線通信パラメータデータベース４１を参照することによって、無線通信部３１ｃがデータ送信する際のフレーム長を特定する（Ｓ１２０）。
【００４８】
このような無線通信システム３によれば、帯域幅および変調符号化方式からフレーム長を推定するので、フレーム長の情報を直接取得できない場合であっても、フレーム長を推定することができる。
【００４９】
［第４実施形態］
［第４実施形態の構成］
次に、第４実施形態の無線通信システム４について説明する。第４実施形態の無線通信システム４においては、無線部パラメータ測定部３３ｄがデータを送受信する際のＳ／Ｎ比(signal-noise ratio)を取得し、符号化／ブロック長パラメータ決定部２４ａ、３４ａは、Ｓ／Ｎ比からフレーム長を推定する。
【００５０】
詳細には、図１２に示すように、無線部パラメータ測定部３３ｄは、端末移動速度検出部５１と、平均化部５２，５３と、無線通信パラメータデータベース５４と、無線通信パラメータ算出部５５とを備えている。
【００５１】
端末移動速度検出部５１は、端末装置３０ｄの位置情報を時系列に従って取得し、これらの位置情報の差分から端末装置３０ｄの移動速度を算出する。平均化部５２，５３は、それぞれ、無線通信部３１ｄから雑音電力またはチャンネル状態情報（データ信号の受信電力）を入力し、これらを平均化して出力する。この際、平均化部５２，５３は、端末装置３０ｄの移動速度に応じて、平均化を行う際の条件を変更する。例えば、移動速度が大きくなるにつれて、より多くの入力から平均を求めるようにする。
【００５２】
無線通信パラメータデータベース５４には、雑音電力、チャンネル状態情報が特定されるとフレーム長を一義に特定できるようなマップが格納されている。
無線通信パラメータ算出部５５は、図１３に示すパラメータ算出処理を実行することでフレーム長を算出する。すなわち、図１３に示すように、チャンネル状態情報および雑音電力（つまりＳ／Ｎ比）を取得し（Ｓ２１０）、端末移動速度検出部５１の機能を用いて端末移動速度を算出する（Ｓ２２０）。そして、平均化部５２，５３の機能を用いて端末移動速度に応じた設定で入力の平均化を行い（Ｓ２３０）、平均化されたチャンネル状態情報および雑音電力について、無線通信パラメータデータベース４１を参照することによって、無線通信部３１ｄがデータ送信する際のフレーム長を特定する（Ｓ２４０）。
【００５３】
このような無線通信システム１によればＳ／Ｎ比からフレーム長を推定するので、フレーム長を直接取得できない場合であっても、フレーム長を推定することができる。
なお、第４実施形態においては、本発明でいう、１または複数の電波強度を表す強度データとしてのＳ／Ｎ比を得るために、チャンネル状態情報および雑音電力を取得するよう構成したが、強度データとしては、例えば、雑音電力を含む必要はなく、１または複数の電波強度を示すデータ（雑音電力を含まないもの）であってもよい。
【００５４】
［第５実施形態］
［第５実施形態の構成］
次に、第５実施形態の無線通信システム５について説明する。
【００５５】
第５実施形態の無線通信システム５においては、受信したデータに含まれるパラメータを用いて送信側の装置が用いる符号化パラメータを推定する機能を有している。詳細には、図１４に示すように、無線通信システム５において端末装置３０ｅのサブブロック結合／復号部３２は、無線部パラメータ検出部６１、消失訂正符号／パケット長パラメータデータベース６２、符号化率推定部６３、符号長推定部６４、サブブロック結合部６５、復号部６６を備えている。
【００５６】
無線部パラメータ検出部６１は、無線通信部３１ｅからフレーム長を検出する。消失訂正符号／パケット長パラメータデータベース６２には、フレーム長が特定されると、消失訂正符号の長さ（符号長）や符号化率等のパラメータが特定されるようにするための対応マップが格納されている。
【００５７】
符号化率推定部６３は、無線部パラメータ検出部６１が検出したフレーム長を用いて、消失訂正符号／パケット長パラメータデータベース６２を参照することで受信したデータの符号化率を推定する。また、符号長推定部６４は、無線部パラメータ検出部６１が検出したフレーム長を用いて、消失訂正符号／パケット長パラメータデータベース６２を参照することで受信したデータの符号長を推定する。
【００５８】
そして、サブブロック結合部６５は、推定された符号長に従って分割されたサブブロック（ＥＢ）の結合を行い、復号部６６は、推定された符号化率を用いて結合されたデータの復号化を行う。
【００５９】
このような無線通信システム５によれば、無線通信部１２、３１ｅでの符号化データを送信する際の通信効率を向上させることができる。
［その他の実施形態］
本発明は、上記の実施形態によって何ら限定して解釈されない。また、上記の実施形態の説明で用いる符号を特許請求の範囲にも適宜使用しているが、各請求項に係る発明の理解を容易にする目的で使用しており、各請求項に係る発明の技術的範囲を限定する意図ではない。上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００６０】
上述した無線通信システム１〜５の他、当該無線通信システム１〜５を構成するクラウドサーバー２０ａ、２０ｂや端末装置３０ａ〜３０ｅ等の各装置、当該無線通信システム１〜５としてコンピュータを機能させるためのプログラム、このプログラムを記録した媒体、無線通信方法など、種々の形態で本発明を実現することもできる。
【００６１】
例えば、上記実施形態においては、無線基地局１０を介して通信を行うクラウドサーバー２０ａ、２０ｂ、および自身が通信を行う端末装置３０ａ〜３０ｅが通信する構成について説明したが、無線基地局１０を介して通信を行う装置同士が通信するよう構成してもよいし、自身が通信を行う装置同士が通信するよう構成してもよい。
【００６２】
このようにしても上記実施形態と同様の効果を享受することができる。
［実施形態の構成と本発明の手段との対応関係］
上記実施形態における無線通信部１２、３１ａ〜３１ｅは本発明でいう無線通信装置に相当し、上記実施形態におけるクラウドサーバー２０ａ〜２０ｅ、端末装置３０ａ〜３０ｅは本発明でいうデータ生成装置に相当する。また、上記実施形態における無線部パラメータ測定部２３ａ、無線部パラメータ測定部３３ａ〜３３ｅは本発明でいうフレーム長取得手段に相当し、上記実施形態における符号化／ブロック長パラメータ決定部２４ａ〜２４ｅ、３４ａ〜３４ｅは本発明でいうデータ量取得手段に相当する。
【００６３】
さらに、上記実施形態における符号化／ブロック長パラメータ決定部２４ａ〜２４ｅ、３４ａ〜３４ｅは本発明でいう符号化パラメータ設定手段に相当し、上記実施形態における消失訂正符号化部２５、３５ａ〜３５ｅ、サブブロック分割部２６、３６ａ〜３６ｅは本発明でいう符号化手段に相当する。また、上記実施形態における間欠送信部２７、３７は本発明でいう符号化データ送信手段に相当し、上記実施形態における端末装置３０ｅは本発明でいうデータ処理装置に相当する。
【００６４】
さらに、上記実施形態における無線部パラメータ検出部６１、符号化率推定部６３、符号長推定部６４は本発明でいうパラメータ推定手段に相当し、上記実施形態におけるサブブロック結合部６５、復号部６６は本発明でいう復号化手段に相当する。
【符号の説明】
【００６５】
１〜５…無線通信システム、１０…無線基地局、１１…有線通信部、１２…無線通信部、１５…有線ネットワーク、２０ａ〜２０ｂ…クラウドサーバー、２２…サブブロック結合／復号部、２３ａ…無線部パラメータ測定部、２４ａ〜２４ｂ…符号化／ブロック長パラメータ決定部、２５…消失訂正符号化部、２６…サブブロック分割部、２７…間欠送信部、３０ａ〜３０ｅ…端末装置、３１ａ〜３１ｅ…無線通信部、３２…サブブロック結合／復号部、３３ａ〜３３ｄ…無線部パラメータ測定部、３４ａ〜３４ｂ…符号化／ブロック長パラメータ決定部、３５ａ〜３５ｂ…消失訂正符号化部、３６ａ〜３６ｂ…サブブロック分割部、３７…間欠送信部、４１…無線通信パラメータデータベース、４２…無線通信パラメータ算出部、５１…端末移動速度検出部、５２，５３…平均化部、５４…無線通信パラメータデータベース、５５…無線通信パラメータ算出部、６１…無線部パラメータ検出部、６２…消失訂正符号／パケット長パラメータデータベース、６３…符号化率推定部、６４…符号長推定部、６５…サブブロック結合部、６６…復号部。
【図１】
2016025560.tif 000003
【図２】
2016025560.tif 000004
【図３】
2016025560.tif 000005
【図４】
2016025560.tif 000006
【図５】
2016025560.tif 000007
【図６】
2016025560.tif 000008
【図７】
2016025560.tif 000009
【図８】
2016025560.tif 000010
【図９】
2016025560.tif 000011
【図１０】
2016025560.tif 000012
【図１１】
2016025560.tif 000013
【図１２】
2016025560.tif 000014
【図１３】
2016025560.tif 000015
【図１４】
2016025560.tif 000016